(57)【特許請求の範囲】
【請求項１】
主光源および副光源を保持するとともに天井面に固定される本体と、
前記主光源および前記副光源を覆うように前記本体に取り付けられるカバーとを備え、
前記カバーが、前記主光源を覆う枠状のカバー本体と、前記カバー本体の中央部に収容されるキャップ部と、前記カバー本体と前記キャップ部との間に設けられた隙間とを有し、
前記キャップ部の正面部の輪郭形状が真円以外であるとともに、
前記本体に対して前記カバーが正規位置にあるときに、前記正面部における所定位置から前記副光源の照射光が出射するとともに、前記副光源の照射光により前記隙間に設けられた壁部に所定の陰影が生じることを特徴とする照明器具。
【請求項２】
前記副光源に対応する表示が前記カバーの正面に設けられていることを特徴とする請求項１に記載の照明器具。
【請求項３】
前記キャップ部の正面形状が角形状であるとともに、前記副光源が前記カバーの正面における角部近傍から出射光が出射することを特徴とする請求項１に記載の照明器具。
【請求項４】
前記副光源が常夜灯であることを特徴とする請求項１に記載の照明器具。
【請求項５】
前記副光源を複数有し、
前記本体に対して前記カバーが正規位置にあるときに、前記各副光源が前記カバーの正面における中央を中心とする対称位置から出射光が出射することを特徴とする請求項１に記載の照明器具。
【発明の詳細な説明】
【技術分野】
【０００１】
本発明は照明器具に係り、例えば、天井面や壁面等の施工面に取り付けた状態で使用される照明器具に関する。
【背景技術】
【０００２】
一般的な天井直付式の照明器具は、天井面に取り付けられる本体と、本体に保持される環形蛍光ランプなどの主光源及びＬＥＤ常夜灯などの副光源と、主光源及び副光源の全体を覆うように本体に取り付けられるカバーとを備えている。主光源からの光は、カバー外周側から間接照明として照射され、副光源の光は、一部が主光源と同様にカバー外周側から照射されると共に、残りの一部がカバーの構成部材であるカバー本体とキャップ部間の隙間から下方に照射される。このような照明器具は、天井面に本体を固定した後、本体に主光源及び副光源を取り付け、次いで本体にカバーが固定される（例えば、特許文献１参照）。
【特許文献１】特開２００７−２２７１７７号公報
【発明の開示】
【発明が解決しようとする課題】
【０００３】
ところで、一般的な天井直付式の照明器具は、カバーが光源を覆うように本体に取り付けるため、本体に対するカバーの取付状況を視認しにくく、本体に対してカバーが確実に取り付けられて脱落の虞れはないか、あるいは本体に対する正規位置にカバーが位置しているか、が判別し難いという不都合がある。この問題は、本体に対してカバーを持ち上げながら回転させることにより取り付ける取付手段を採用した照明器具にのみ生ずるものではなく、本体に対して天井面の厚み方向に沿ってカバーを取り付ける取付手段を採用した照明器具にも同様に生ずる可能性があり、本体に対するカバーの取り付けについて、改善の余地があった。
【０００４】
本発明は、前述した問題点に鑑みてなされたものであり、その目的は、本体に対するカバーの相対位置を外部から視認できるようにし、カバーの取付け状態を確認して本体からのカバーの脱落を防止すると共に、カバーを本体あるいは部屋の壁面などに対して平行に取り付けて美観や外観を損ねることのない照明器具を提供することにある。
【課題を解決するための手段】
【０００５】
前述した目的を達成するために、本発明は、
主光源および副光源を保持するとともに天井面に固定される本体と、
前記主光源および前記副光源を覆うように前記本体に取り付けられるカバーとを備え、
前記カバーが、前記主光源を覆う枠状のカバー本体と、前記カバー本体の中央部に収容されるキャップ部とを有し、
前記キャップ部の正面部の輪郭形状が真円以外であるとともに、
前記本体に対して前記カバーが正規位置にあるときに、前記正面部における所定位置から前記副光源の照射光が出射することを特徴としている。
【０００６】
上記構成の照明器具によれば、本体に対してカバーが正規位置にあるときに、真円以外の輪郭形状を有するキャップ部の正面部における所定位置から、副光源の照射光が出射するようにしたので、キャップ部の正面部の副光源の位置に基づいて本体に対してカバーが正規位置にあることが確認でき、カバーを所定の位置に確実に取り付けることができる。
【０００７】
従って、この照明器具においては、従来のようなカバーの取付け不良による本体からのカバーの脱落を防止することができる。また、カバーを本体あるいは部屋の壁面などに対して平行に取り付けて優れた美観や外観を維持することができる。
【０００８】
ここで、主光源としては、例えば、環形蛍光ランプや白熱灯を例示でき、副光源としては、例えば、ＬＥＤ常夜灯やナツメ球を例示できる。また副光源としては、点光源である必要はなく、線光源（ラインLED、LEDを複数並べたもの）などであってもよい。
【０００９】
また、本発明は、前記副光源に対応する表示が前記カバーの正面に設けられていることを特徴としている。
このように構成された照明器具においては、カバーの正面に副光源に対応する表示が設けられているので、表示とカバー上の副光源の位置との相対位置に基づいて本体に対してカバーが正規位置にあるか否かを確実に判別できる。
【００１０】
また、本発明は、前記キャップ部の正面形状が角形状であるとともに、前記副光源が前記カバーの正面における角部近傍から出射光が出射することを特徴としている。
このように構成された照明器具においては、キャップ部の正面形状が角形状であり、副光源の照射光が角部近傍から出射するようにしたので、本体に対してカバーが正規位置にあるか否かを確実、且つ容易に判別できる。尚、副光源の数は一個でも、複数個であってもよい。
【００１１】
また、本発明は、前記副光源が常夜灯であることを特徴としている。
このように構成された照明器具においては、副光源が常夜灯であるので、キャップ部からの出射光が、照明光としての光に影響することがなく、優れた照明装置が得られる。
【００１２】
また、本発明は、前記副光源を複数有し、
前記本体に対して前記カバーが正規位置にあるときに、前記各副光源が前記カバーの正面における中央を中心とする対称位置から出射光が出射することを特徴としている。
このように構成された照明器具においては、本体に対してカバーが正規位置にあるとき、複数の副光源からの出射光が、カバーの中央を中心とする対称位置（線対称、点対称）から出射するので、全ての副光源からの出射光の位置が規定位置であるときに、カバーが正規位置にあることが判別され、正規位置であるか否かを確実に判別できる。
【００１３】
また、本発明は、前記カバー本体と前記キャップ部との間に設けられた隙間を有し、
前記本体に対して前記カバーが正規位置にあるときに、前記副光源の照射光により前記隙間に設けられた壁部に所定の陰影が生じることを特徴としている。
このように構成された照明器具においては、本体に対してカバーが正規位置にあるときに、副光源の照射光により所定の陰影が壁部に生じるようにしたので、壁部に映る陰影により本体に対してカバーが正規位置にあることが確認でき、カバーを所定の位置に確実に取り付けることができる。
【発明の効果】
【００１４】
本発明によれば、真円以外の輪郭形状を有するキャップ部の正面部における所定位置から出射する副光源の照射光によって、本体に対するカバーの取付位置を確認することができ、従来のようなカバーの取付け位置不良という問題を解消できる。これにより、本体からのカバーの脱落を防止すると共に、カバーが本体あるいは部屋の壁面などに対して斜めに取り付けられたことによる美観不良や外観不良が解消されるという効果が得られる。
【発明を実施するための最良の形態】
【００１５】
以下、本発明に係る実施形態を図面に基づいて詳細に説明する。図１は本発明に係る照明器具の全体斜視図、図２は図１に示す照明器具の縦断面図、図３は図１に示す照明器具の下面図、図４は図１に示す照明器具を本体とカバーとに分解した状態を示す斜視図、図５は本体の要部分解斜視図、図６はカバーの分解斜視図、図７はカバー本体の要部拡大斜視図である。
【００１６】
図１から図４に示すように、本発明の照明器具１０は、天井面Ｓに取り付けられる本体１１と、本体１１に取り付けられて主光源１３および副光源１４を覆うカバー１２とを備える。本体１１は、略円盤状に形成されており、天井面Ｓに設けられた引掛シーリングアダプタ９に、本体１１に設けられた引掛シーリング８を接続することによって、天井面Ｓに取り付けられる。
【００１７】
本体１１の下面には、外周縁側に向かうに従って、次第に天井面Ｓに近づくように傾斜する傾斜面１５が形成されている。傾斜面１５には、ランプ支持具１６およびランプソケット１７が下方に突出して設けられている。主光源である２重環形の蛍光ランプ１３は、そのランプ口金１８がランプソケット１７に電気的に接続されると共に、他端側がランプ支持具１６に支持されて本体１１に保持されている。本体１１の中央には、アダプタカバー１９が取り付けられている。
【００１８】
図５に示すように、アダプタカバー１９は、上下方向に分割可能なボディ２０と内カバー２１とを有する。内カバー２１は、例えば、ポリプロピレン樹脂で形成され、またボディ２０は、副光源１４からの照射光を透過可能とするため、透光性を有する材料、例えば、アクリル樹脂などから形成されている。
【００１９】
内カバー２１には、ボディ２０に対抗する面に、一対で１組となる断面コ字状の基板保持部２２が、２組、内カバー２１の中心に対して対称位置に突設されている。それぞれの基板保持部２２は、互いに対向する面に略コの字型の溝２３が設けられている。
【００２０】
副光源である２個の青色ＬＥＤ１４が実装された２枚の実装基板２４は、それぞれの実装基板２４の左右両端が、２組の基板保持部２２の溝２３に挿入されて内カバー２１に保持されている。副光源である青色ＬＥＤ１４は、主光源１３の消灯時に点灯させる常夜灯として用いられる。内カバー２１には、更に、照明器具１０のオンオフ制御や調光制御等を行う赤外線リモコン用のリモコン受光部２５が収納される。また、内カバー２１の外周面には、弾性を有する一対の係止爪２６が設けられており、ボディ２０が下方から装着されたとき、ボディ２０に設けられた係合部（図示せず）と係合してボディ２０と内カバー２１とを結合させて実質的に一体化する。
【００２１】
ボディ２０は、透明樹脂で成形された略円盤状部材であり、リモコン受光部２５の下面を露出させるように窓孔２７が貫設して形成されている。ボディ２０の外周面下端には、略１/８円弧状（開き角度４５°）の４個の本体リブ２８が円周方向に沿って等間隔（４５°間隔）で配設されている。これにより、隣接する本体リブ２８の間には、後述するカバー１２のカバーリブ４５を挿入するための空間である４ヶ所の挿入口２９が形成される。
【００２２】
それぞれの本体リブ２８の一端（下方から見たとき時計方向側の一端）は、本体リブ２８の上方に平行に設けられたリブ３０と縦壁３１によって連結されて、略コの字型の溝部３３が形成されている。本体リブ２８の他端（下方から見たとき反時計方向側の一端）には、上方に向かって突設された爪部である障壁３２が形成されている。障壁３２には、上方に向かうに従って次第に溝部３３の奥側に向かって傾斜する本体リブ傾斜面３４が設けられている（図９参照）。
【００２３】
図６に示すように、カバー１２は、枠状のカバー本体４０と、カバー本体４０の中央部に固定されるキャップ部４１とを備える。カバー本体４０は、アクリル樹脂などの透光性を有する樹脂によって、中心部に矩形穴４２が形成された略矩形枠状に形成されており、蛍光ランプ（主光源）１３の下方を覆っている。カバー本体４０の矩形枠部５３の断面形状は、下方に突出する略Ｖ字型に形成されている（図２参照）。矩形穴４２を画成する矩形枠部５３の一方の面は、後述するＬＥＤ光源１４を反射する反射面としても作用する。
【００２４】
図７も参照して、矩形穴４２の上方には、矩形穴４２より小さな直径を有するリング状枠４３が配置されている。リング状枠４３は、４個の連結部４４によって矩形枠部５３の４辺に連結されている。リング状枠４３の内径は、ボディ２０の外径より僅かに大きく、互いに嵌合可能である。リング状枠４３の内周面には、連結部４４の反対側に４個のカバーリブ４５が９０°間隔で半径方向内方に突出して設けられている。カバーリブ４５の下面には、円周方向に沿って第１凹部４６、及び第２凹部４７が設けられている。
【００２５】
カバー１２（カバー本体４０）が本体１１（ボディ２０）に取り付けられるとき、ボディ２０の障壁３２に対向するカバーリブ４５の一端には、本体リブ傾斜面３４と同じ方向に傾斜するカバーリブ傾斜面４８が形成されている。また、カバーリブ４５の他端、第１凹部４６及び第２凹部４７のカバーリブ傾斜面４８側の側面には、それぞれ垂直の壁４９（４９ａ、４９ｂ、４９ｃ）形成され、第１凹部４６及び第２凹部４７のカバーリブ傾斜面４８と反対側の側面には、それぞれカバーリブ傾斜面４８と同じ方向に傾斜する傾斜面５０ａ、５０ｂが形成されている。カバーリブ傾斜面４８の山側稜線ＭＬおよび谷側稜線ＶＬは、カバー１２を本体１１に取り付けるときの回転中心Ｃ（図８（ｂ）参照）を基点とする放射線に沿っている。尚、本体リブ傾斜面３４及びカバーリブ傾斜面４８は、どちらか一方であってもよいが、カバー１２の装着を容易にするためには、両方とも設けられているのがよい。
【００２６】
また、リング状枠４３の外周面には、４個の連結部４４の両側に、それぞれキャップ部４１を固定するための一対の縦リブ５１ａ、５１ｂが設けられ、一方の縦リブ５１ａには、雌ねじ５２が形成されている。
【００２７】
図６に示すように、キャップ部４１は、透光性を有する材料、例えば、アクリル樹脂などにより形成された矩形の有底箱状部材であり、底部６０と、底部６０から立設した連続する４辺の壁部６１とを有する。底部６０は、照明器具１０が天井面Ｓに設置されたとき正面となる。壁部６１には、カバー本体４０の縦リブ５１ａに設けられた雌ねじ５２に対向する位置にネジ穴６６が明けられており、キャップ部４１が４本のネジ６７によってカバー本体４０に固定される。
【００２８】
底部６０の４辺からは、斜め下方に延設されて矩形の鍔部６２が形成されている。４辺からなる壁部６１の大きさは、カバー本体４０の矩形穴４２より小さく、矩形穴４２から挿入されてカバー本体４０に固定される。また、鍔部６２の外形寸法は矩形穴４２より大きく、カバー本体４０に取り付けられた時、下方からみたとき矩形穴４２を隠すと共に、カバー本体４０の矩形枠部５３と鍔部６２とが略平行となって、カバー本体４０とキャップ部４１との間に照明用空間６３が壁部６１の全周に亘って形成される。壁部６１は、照明用空間６３を介して下方から見ることができる（図２参照）。
【００２９】
このような照明器具１０の設置は、図２に示すように、先ず、天井面Ｓに設けられた引掛シーリングアダプタ９に引掛シーリング８を接続して、本体１１を天井面Ｓに固定する。そして、図８に示すように、カバー本体４０のカバーリブ４５とボディ２０の挿入口２９との位相を合わせてカバー１２を上方に押し上げ、カバーリブ４５を挿入口２９に挿入した後、カバー１２を図に示す矢印方向に回転させる。このとき、カバー１２の押し上げ量が不十分であっても、図９に示すように、カバーリブ４５のカバーリブ傾斜面４８が、障壁３２の本体リブ傾斜面３４と摺接するので、カバーリブ傾斜面４８が容易に障壁３２を乗り越え、障壁３２が第２凹部４７の垂直壁４９ｃと係合する。
【００３０】
更に、カバー１２を回転させた後、下方に移動させることにより、図１１に示すように、カバーリブ４５全体が障壁３２を乗り越えて略コの字型の溝部３３内に収容され、カバーリブ４５の平坦な底面が本体リブ２８の上面に当接して安定した状態で積層されると共に、垂直壁４９ａが障壁３２と係合する。これにより、カバー１２の本体１１からの脱落が防止される。また、カバー１２は、本体１１に対する正規位置に位置決めされて取り付けられる。
【００３１】
図８（ａ）に示すように、カバー１２が本体１１に対して正規位置に取り付けられた状態においては、カバー１２の矩形外周縁部が、部屋の壁面７と平行となって美観を損ずることはない。
【００３２】
また、カバーリブ傾斜面４８の山側稜線ＭＬおよび谷側稜線ＶＬは、カバー１２を本体１１に取り付けるときの回転中心Ｃ（図８（ｂ）参照）を基点とする放射線に沿って形成されているので、谷側稜線ＶＬは、その全長が同時に障壁３２に当接して確実に障壁３２を捉え、同様に、山側稜線ＭＬは容易に障壁３２を乗り越えることができる。
【００３３】
上記したように、本体リブ２８、カバーリブ４５、障壁３２、及び第１及び２凹部４６、４７は、本体１１とカバー１２との取付け手段として作用する。
【００３４】
カバー１２が本体１１に取り付けられた状態において、図２に示すように、壁部６１は、蛍光ランプ（主光源）１３とＬＥＤ光源（副光源）１４との間に位置し、カバー本体４０（矩形枠部５３）とキャップ部４１（鍔部６２）との間の隙間である照明用空間６３を介して下方から目視可能である。また、天井面Ｓに対して直交する方向に沿って、隙間６３と重複する鍔部６２がキャップ部４１に設けられ、鍔部６２の縁部６２ａとカバー本体４０の中央開口の縁部４０ａとを結ぶ線Ｌの延長線よりも本体１１側に、壁部６１の縁部６１ａが配置されている。これにより、本体１１、及びボディ２０とカバー本体４０との結合部が、壁部６１によって遮蔽されて照明用空間６３から見えなくなり、見栄えの良い外観が得られる。
【００３５】
次に、本発明の照明器具１０の作用について、図８から図１４に基づいて説明する。
図８はカバーの取付時におけるボディとカバー本体との位置関係を示す下面図、図９から図１１は本体リブとカバーリブとの係合状態を示す側面図、図１２は壁部に映された障壁の陰影を示す概念図、及び輝度グラフ、図１３は副光源の照射光がキャップ部の角部から出射する状態を示すキャップ部の下面図、図１４はキャップ部のマークと副光源の照射光が一致した状態を示すキャップ部の下面図である。
【００３６】
図２に示すように、照明器具１０を天井面Ｓに取り付けてＬＥＤ光源（副光源）１４を点灯させる、或いはＬＥＤ光源（副光源）１４を点灯させた状態で、上記したようにカバー１２を本体１１に取り付けると、ＬＥＤ光源１４からの照射光ＳＬＢ１は、透明なボディ２０を透過してキャップ部４１の壁部６１に照射され、ボディ２０の障壁３２の陰影が壁部６１に映される。
【００３７】
即ち、図１２に示すように、本体１１に対してカバー１２が正規位置にあるとき、２個の青色ＬＥＤ光源１４からの照射光ＳＬＢ１によって、壁部６１の中央部が障壁３２の陰影ＳＨによって暗くなり、その両側は相対的に明るくなる。壁部６１の中央部が暗部となることを、照明用空間６３を介して下方から目視確認することにより、カバー１２が正規位置に取り付けられていることが確認できる。
【００３８】
或いは、２個の青色ＬＥＤ光源１４からの照射光ＳＬＢ１による照明部ＬＰが、壁部６１における線対称位置に映ることによってもカバー１２が正規位置であるか否かを判別でき、容易にカバー１２の取付状態を確認することができる。これにより、カバー１２が正規位置にないことが判った場合、カバー１２を取り付け直すか、或いは、更にカバー１２を回転させて位置を修正する。
【００３９】
尚、本実施形態において、障壁３２は透明であるが、厚みがあるので壁部６１に薄い陰影を生じることは可能である。しかし、鮮明な陰影ＳＨを映すことができるように、障壁３２を不透明な材料で形成したり、不透明塗料などを塗布するようにしてもよい。
【００４０】
また、ＬＥＤ光源（副光源）１４が、キャップ部４１の底部６０に照射光ＳＬＢ２を照射するように配置された場合、図３に示すように、底部６０に照射された照射光ＳＬＢ２の照射部ＬＰが、キャップ部４１の中心に対して対称位置となることによって、カバー１２が正規位置に取り付けられていることが確認できる。対称位置とは、線対称、点対称のいずれでもよい。尚、この場合、底部６０に照射された照射光ＳＬＢ２の照射部ＬＰの位置を確認するためには、キャップ部４１の輪郭形状が真円以外であることが必要となる。
【００４１】
図１３に示すように、キャップ部４１の輪郭形状が、角形状（多角形）である場合には、照射光ＳＬＢ２がキャップ部４１の角部６８の近傍から出射することによっても判別が可能となる。ここで、角部近傍とは、底部６０の対角線の全長に対して、例えば、角部６８から１/４以内の範囲とする。
【００４２】
図２に示すように、蛍光ランプ（主光源）１３からの照射光ＭＬＢの多くは、カバー本体４０の乳白色の矩形枠部５３を介して室内などを照明する。また、照射光ＭＬＢの一部は、キャップ部４１の壁部６１で反射した後、矩形枠部５３で更に反射し、照明用空間６３から出射して室内を照明する。この、壁部６１で反射してカバー１２の中央部分から照射される間接照明光は、柔らかい光となって矩形枠部５３を透過する主照明と共に室内などを明るく照明する。
【００４３】
上記説明においては、副光源１４は点光源である青色ＬＥＤ光源として説明したが、これに限定されることはなく、線光源（ラインＬＥＤ、複数のＬＥＤを線上に並べて配置したものなど）やナツメ球などであってもよい。要は、壁部６１に陰影ＳＨを生じさせるもの、あるいは、底部６０に照射光ＳＬＢを照射可能なものであれば、どのような光源でも使用することができる。また、同様に主光源１３も蛍光ランプに限定されるものではなく、白熱灯などであってもよい。
【００４４】
更に、カバーリブ４５は、本体リブ２８の障壁３２と係合する第１凹部４６及び第２凹部４７の２つの凹部を備えるので、図１１に示すように、カバー１２が正規位置に取り付けられていれば、例えば、地震などによって照明器具１０が激しく振動してカバー１２が外れる方向に回転しても、図１０に示すように、障壁３２が第１凹部４６と係合してカバー１２の脱落が防止される。図１０に示す状態から更に、カバー１２が外れる方向に回転しても、図９に示すように、障壁３２が第２凹部４７と係合するので、カバー１２の脱落に対して２重の安全装置として作用し、カバー１２の脱落の可能性が大幅に低減される。
【００４５】
（変形例）
壁部６１に映る障壁３２の陰影位置や、底部６０に照射される青色ＬＥＤ１４の照射光ＳＬＢ２の位置によって、カバー１２が正規位置にあるか否かの判別を容易にするため、壁部６１或いは底部６０に、陰影位置や照射光ＳＬＢの位置に対応する表示を設けるようにしてもよい。この表示としては、壁部６１や底部６０の所定位置に形成された印刷マーク、カバー本体４０の成形時に形成された凸部または凹部、梨地仕上げなどの表面処理、レンズなどとすることができる。
【００４６】
尚、このような表示は、照明器具１０の外観を損ねない程度の大きさのものがよい。大きな表示を設ける場合（特に、底部６０に設ける表示）には、照明器具１０の外観との統一感があるように、デザインされたものが好ましい。
【００４７】
表示は、図１２に示すように、キャップ部４１の壁部６１の略中央位置に形成された、例えば、三角形のマーク６４とすることができる。該マーク６４が、壁部６１に映された障壁３２の陰影ＳＨの略中心に位置していれば、カバー１２が正規位置にあると判断することができる。
【００４８】
また、図１４に示すように、底部６０に設けられた、カバー１２が正規位置にあるときに照射光ＳＬＢ２が照射される位置を示す丸型のマーク６５とすることができる。青色ＬＥＤ１４からの照射光ＳＬＢ２による照射部ＬＰが、該マーク６５を中心として照射されれば、カバー１２が正規位置にあると判断することができる。
尚、表示としてレンズが用いられる場合、青色ＬＥＤ１４からの照射光がレンズを透過するように、互いの位置が設定される必要がある。
【００４９】
前述した照明器具１０によれば、本体１１に対してカバー１２が正規位置にあるときに、副光源１４の照射光ＳＬＢ１により所定の陰影ＳＨが壁部６１に生じるようにした、あるいは、副光源１４の照射光ＳＬＢ２がキャップ部４１の底部６０の所定位置に照射されるようにしたので、壁部６１に映る陰影ＳＨ、または照射光ＳＬＢ２の照射位置によって本体１１に対してカバー１２が正規位置にあることが確認でき、カバー１２を所定の位置に確実に取り付けることができる。従って、従来のようなカバーの取付け不良による本体１１からのカバー１２の脱落を防止することができる。また、カバー１２を本体１１あるいは部屋の壁面７などに対して平行に取り付けることができ、優れた美観や外観を維持することができる。
【００５０】
なお、本発明の照明器具は、前述した実施形態に限定されるものでなく、適宜な変形，改良等が可能である。
【００５１】
例えば、上記の実施形態においては、カバー１２を回転させて本体１１に装着する回転式の照明器具として説明したが、天井面Ｓと平行にスライドさせて装着する嵌め込み式の照明器具に適用することもでき、同様の効果を奏する。また、壁部６１は、カバー１２の最外側面に設けるようにしてもよい。ただし、この場合には、主光源１３による陰影も壁部６１に映る可能性がある。
【００５２】
その他、前述した実施形態において例示した主光源、副光源、天井面、本体、カバー、カバー本体、キャップ部、正面部、正面部の輪郭形状、照明器具、副光源に対応する表示、常夜灯、カバー本体とキャップ部との間に設けられた隙間、壁部、陰影等の材質，形状，寸法，形態，数，配置個所等は本発明を達成できるものであれば任意であり、限定されない。
【図面の簡単な説明】
【００５３】
【図１】本発明に係る照明器具の全体斜視図である。
【図２】図１に示す照明器具の縦断面図である。
【図３】図１に示す照明器具の下面図である。
【図４】図１に示す照明器具を本体とカバーとに分解した状態を示す斜視図である。
【図５】本体の要部分解斜視図である。
【図６】カバーの分解斜視図である。
【図７】カバー本体の要部拡大斜視図である。
【図８】カバーの取付時におけるボディとカバー本体との位置関係を示す下面図である。
【図９】本体リブとカバーリブとの第３の係合状態を示す側面図である。
【図１０】本体リブとカバーリブとの第２の係合状態を示す側面図である。
【図１１】本体リブとカバーリブとの第１の係合状態を示す側面図である。
【図１２】壁部に映された障壁の陰影を示す概念図、及び輝度グラフである。
【図１３】副光源の照射光がキャップ部の角部から出射する状態を示すキャップ部の下面図である。
【図１４】キャップ部のマークと副光源の照射光が一致した状態を示すキャップ部の下面図である。
【符号の説明】
【００５４】
１０  照明器具
１１  本体
１２  カバー
１３  蛍光ランプ（主光源）
１４  ＬＥＤ光源（副光源）
４０  カバー本体
４１  キャップ部
６０  底部（正面部）
６１  壁部
６３  照明用空間（カバー本体とキャップ部との間に設けられた隙間）
６５  マーク（副光源に対応する表示）
６８  角部
Ｓ  天井面
ＳＨ  陰影
ＳＬＢ  副光源の照射光
【図１】
0004882945.tif 000002
【図２】
0004882945.tif 000003
【図３】
0004882945.tif 000004
【図４】
0004882945.tif 000005
【図５】
0004882945.tif 000006
【図６】
0004882945.tif 000007
【図７】
0004882945.tif 000008
【図８】
0004882945.tif 000009
【図９】
0004882945.tif 000010
【図１０】
0004882945.tif 000011
【図１１】
0004882945.tif 000012
【図１２】
0004882945.tif 000013
【図１３】
0004882945.tif 000014
【図１４】
0004882945.tif 000015